(57)【特許請求の範囲】
【請求項１】
戸パネル１の縦穴３０に装着されるランナー本体３と、縦穴３０と交差する横穴３１に装着されて、ランナー本体３を固定保持するソケット４とからなり、
ランナー本体３の下部には、縦穴３０に内嵌する連結軸８と、ソケット４で係合捕捉される掛止部１２とが設けられており、
ソケット４は、ケース１３と、ケース１３で往復スライド自在に支持したロック具１４と、ロック具１４を掛止部１２と係合する向きに移動付勢するばね１５とを有し、
ロック具１４と掛止部１２のいずれか一方に、ロック具１４をばね１５の付勢力に抗してロック解除位置側へ移動操作する係合案内用の斜面２５が設けてある吊車型のランナーユニット。
【請求項２】
掛止部１２が、連結軸８の下方に突設した一対の掛止腕２２と、両掛止腕２２を橋絡する掛止軸２３とで形成されており、
ソケット４のケース１３内に掛止部１２の進入を許す連結穴２０と、板状のロック具１４をスライド自在に案内支持するガイド穴１８とが設けられており、
ロック具１４に掛止軸２３を捕捉係合する爪部２４と、係合案内用の斜面２５とが設けてある請求項１記載の吊車型のランナーユニット。
【請求項３】
軸体で形成したロック具１４が、ケース１３で往復スライド自在に支持されており、
連結軸８の下方に突設した掛止部１２に、ロック具１４で係合捕捉される係合凹部３４と、係合案内用の斜面２５とが設けてある請求項１記載の吊車型のランナーユニット。
【発明の詳細な説明】
【０００１】
【発明の属する技術分野】
本発明は引き戸や折り戸などに適用される吊車型のランナーユニットに関し、ランナー本体とランナー本体を係合捕捉するソケットとを備えたものである。
【０００２】
この種のランナーユニットは実公平７−１０３４４号公報に公知である。そこでは図８に示すように、ランナーボディ４０の下面に丸軸状の連結軸４１を突設し、連結軸４１の下端に設けた係合溝４２をロック軸４３で係合捕捉する。ロック軸４３の先端には、先の係合溝４２と圧嵌係合するフォーク状の一対の弾性爪４４が設けてある。戸パネルには上端面で開口する縦穴４５と、側端面で開口する横穴４６とが直交する状態で設けてあり、連結軸４１を縦穴４１に差し込んだ後、ロック軸４３を横穴４６に差し込み、ロック軸４３の弾性爪４４を係合溝４２に係合することにより、ランナー本体を分離不能に係合捕捉できる。連結軸４１の上部には取付板４７を設けてあり、この取付板４７を戸パネルにビス止めすることによって、ランナー本体の組み付け強度を補足している。
【０００３】
【発明が解決しようとする課題】
上記のランナーユニットは、ランナー本体を戸パネルに組み付けた後、ロック軸４３を横穴４６に差し込んで、連結軸４１を係合捕捉する。そのためランナー本体を予めガイドレールに組んでおく必要がある場合に、ランナー本体の戸パネルに対する組み付けが極めて困難になる。戸パネルの上方の隙間が小さいので、取付板４７のビス締結作業が行いにくいうえ、戸パネルを持ち上げた状態のまま、ロック軸４３の弾性爪４４を係合溝４２に係合させる必要があるからである。ランナー本体を戸パネルに固定した後、ランナー本体をガイドレールに組むことはできるが、それにはガイドレールの一部を切り欠いて別に組込口を設けておく必要があり、組み込み後に組込口を塞ぐなどの余分な手間が掛かる。
【０００４】
上記のような施工上の不便を避けるために、吊車型のランナーユニトにおいては、例えば実開平７−１４０７０号公報にみられるように、戸パネル側にソケットを固定しておき、ランナー本体に設けた連結ブロックを先のソケットに差し込むだけで、ランナー本体を戸パネルに対して容易に取り付けられるようにしている。しかし、この種のランナー取付構造は構造が複雑でコストが高く付くうえ、外形寸法の大きな連結ブロックを埋設し得るパネル厚みを要し、適用対象が比較的大形の戸パネルに限定される。
【０００５】
本発明の目的は、戸パネルに対するランナーユニットの連結構造を簡素化しながら、ランナー本体をワンタッチで戸パネルに取り付けることができる、安価で施工の容易な吊車型のランナーユニットを提供することにある。本発明の目的は、厚みが小さな比較的小形の戸パネルにも支障なく適用できる吊車型のランナーユニットを提供することにある。本発明の目的は、ランナーユニットを取り付けるための戸パネル側の穴加工を簡素化でき、戸パネルの使用形態に応じて、ソケット穴の開口位置を戸パネルの側端面と表裏のいずれかの面壁に選択できる吊車型のランナーユニットを提供することにある。
【０００６】
【課題を解決するための手段】
本発明のランナーユニットは、図１に示すごとく戸パネル１の縦穴３０に装着されるランナー本体３と、縦穴３０と交差する横穴３１に装着されて、ランナー本体３を固定保持するソケット４とからなる。ランナー本体３の下部には、縦穴３０に内嵌する連結軸８と、ソケット４で係合捕捉される掛止部１２とを設ける。ソケット４は、ケース１３と、ケース１３で往復スライド自在に支持したロック具１４と、ロック具１４を掛止部１２と係合する向きに移動付勢するばね１５とを有する。ロック具１４と掛止部１２のいずれか一方に、ロック具１４をばね１５の付勢力に抗してロック解除位置側へ移動操作する係合案内用の斜面２５を設ける。
【０００７】
具体的には、前記掛止部１２は、図４に示すごとく連結軸８の下方に突設した一対の掛止腕２２と、両掛止腕２２を橋絡する掛止軸２３とで形成する。ケース１３内に掛止部１２の進入を許す連結穴２０と、板状のロック具１４をスライド自在に案内支持するガイド穴１８とを設ける。ロック具１４に掛止軸２３を捕捉係合する爪部２４と、係合案内用の斜面２５とを設ける。
又は、図７に示すごとく軸体で形成したロック具１４をケース１３で往復スライド自在に支持し、連結軸８の下方に突設した掛止部１２に、ロック具１４で係合捕捉される係合凹部３４と、係合案内用の斜面２５とを設けた形態にすることもできる。
【０００８】
【作用】
使用時には、ソケット４を戸パネル１の横穴３１に予め装填しておき、ランナー本体３の連結軸８を縦穴３０に差し込んで、その掛止部１２をソケット４に設けたロック具１４と係合する。交差途中に、掛止部１２の下向きの力は係合案内用の斜面２５を介して横向きの力に変換され、ロック具１４をばね１５の付勢力に抗してロック解除方向へ移動させる。掛止部１２が所定位置まで差し込まれると、ロック具１４はロック位置へ復帰移動して、掛止部１２を上方移動不能に係合捕捉する。
【０００９】
ランナー本体３の連結軸８と、ソケット４とをそれぞれ戸パネル１の縦穴３０と横穴３１に装填してランナー本体３を固定保持するので、連結機構を簡素化し小形化でき、厚みの小さな戸パネル１にも支障なくランナー本体３を取り付けることができる。ソケット４の装着方向は、戸パネル１の側端面と表裏面壁のいずれの側にでも設定できる。連結状態において、掛止部１２がケース１３に設けた連結穴２０と係合するソケット４によれば、掛止部１２とソケット４とが互いに相手部材の抜け出しを防止するよう作用するので、ソケット４を戸パネル１に締結固定する必要がなく、その分だけ施工の手間を省略できる。
【００１０】
（実施例１）
図１ないし図５は本発明のランナーユニットを引戸に適用した実施例を示す。図１および図２において、符号１は木製の戸パネル、２はアルミニウム型材からなるガイドレールである。戸パネル１の左右両側端の上隅のそれぞれに、本発明のランナーユニットが装着される。そのランナーユニットは、ガイドレール２で走行案内されるランナー本体３と、戸パネル１に埋設状に装着されてランナー本体３を係合捕捉するソケット４とからなる。
【００１１】
ランナー本体３は、遊転自在な４個のローラ５を軸を介して支持するランナーボディ６と、ランナーボディ６の中央部を上下に貫くランナー軸７と、戸パネル１に組み付けられる連結軸８と、ランナー軸７と連結軸８との間に設けた高さ調整機構などで構成する。ランナー軸７とランナーボディ６とは相対回転自在な関係にあり、このことがランナーユニットの折り戸用戸パネルへの適用を可能としている。
【００１２】
連結軸８は断面円形の有底筒状のプラスチック成形品からなり、上端にフランジ８ａを張り出し、下端に掛止部１２を突設する。高さ調整機構は、ランナー軸７に外嵌する筒軸状の雄ねじ９と、雄ねじ９に対応して連結軸８の筒内面に形成したねじ穴８ｂとからなり、雄ねじ９の上端に一体に設けた六角形の頭部９ａを回転操作することによって、雄ねじ９のねじ込み量を変化させ、戸パネル１の上下調整を行える。雄ねじ９の下端には回り止め片１０を配置し、これをランナー軸７にかしめ固定している。
【００１３】
連結軸８の下端に掛止部１２を一体に設け、これをソケット４で係合捕捉してランナー本体３を戸パネル１に固定する。図４においてソケット４は、プラスチック成形品からなる丸軸ブロック状のケース１３と、ケース１３内に組んだロック具１４、およびロック具１４を係合付勢する圧縮コイル形のばね１５などで構成する。ケース１３の側端には位置決め用のフランジ壁１６を張り出し、その側端面に操作部１７を凹み形成する。ケース１３の内部には、ロック具１４をスライド自在に案内するガイド穴１８を左右貫通状に形成し、ガイド穴１８の下端寄りにばね穴１９を有底穴状に形成する。さらに、ケース１３の左右中途部に、ケース上面で開口する連結穴２０を形成する。この連結穴２０に掛止部１２が上方から入り込む。
【００１４】
掛止部１２は、連結軸８の下端面から下向きに突設した前後一対の平板状の掛止腕２２と、両掛止腕２２の下端寄りどうしを橋絡する金属製の掛止軸２３とからなる。ロック具１４は金属板を打ち抜いて形成した板体からなり、板面の中途部上縁寄りに掛止軸２３を係合捕捉する爪部２４を設け、爪部２４に連続して係合案内用の斜面２５を設ける。板面の左側端には、ロック解除用の操作溝２６を側端下部へ向かって下り傾斜状に形成し、操作溝２６の下端に連続してばね１５用の切欠２７を形成する。
【００１５】
ケース１３のばね穴１９にばね１５を装填した後、ガイド穴１８にロック具１４を差し込み、ロック具１４の全体をばね１５の付勢力に抗してガイド穴１８に押し込み、この状態でケース１３の右端下部にピン２８を打ち込んでロック具１４を抜け止め保持する。この組み付け状態において、爪部２４は掛止軸２３の進入領域に突入するロック位置と、ばね１５の付勢力に抗してスライド変位し、掛止軸２３の進入領域外へ退避するロック解除位置との間で往復スライドできる。
【００１６】
上記のランナーユニットを取り付けるために、戸パネル１の上面側端寄りに連結軸８用の縦穴３０を設け、戸パネル１の側端面の上部にソケット４用の横穴３１を縦穴３０と交差するよう形成する。両穴３０・３１は戸パネル１の製造時に予め加工してあり、両穴３０・３１が共に丸穴であるので特殊な加工機を用いる必要もなく容易に形成できる。必要に応じて施工時に加工してもよい。
【００１７】
施工時には、図５に示すようにユニット部品化されたソケット４を横穴３１に差し込み装着し、ロック具１４が戸パネル１の縦枠線と並行になるようケース１３の姿勢を調整して、連結穴２０の中心軸を縦穴３０の中心軸と一致させる。ランナー本体３は全てガイドレール２に組み込んでおく。次に、戸パネル１を起立させながら、その縦穴３０にランナー本体３の連結軸８を差し込む。連結軸８の大半が縦穴３０内に入り込むと、掛止部１２の下部がケース１３内に進入して、掛止軸２３がロック具１４の斜面２５と接当する。このとき、ロック具１４は斜面２５に作用する横向きの分力を受けて、ばね１５の付勢力に抗しながらロック解除側へスライド移動し、掛止軸２３が斜面２５の下端を通過するのと同時にロック位置へ復帰して、爪部２４が掛止軸２３の上面に回り込み係合する。
【００１８】
上記のように、掛止部１２をソケット４で係合捕捉した状態では、連結軸８を縦穴３０から抜き出すことができない。しかも、掛止部１２がケース１３の連結穴２０に内嵌しているので、ソケット４を横穴３１から抜き出すこともできない。最後に、頭部９ａを回動して戸パネル１とガイドレール２との間の隙間を調整する。例えば、戸パネル１の表裏を間違えて吊り込んだような場合には、ケース１３の操作部１７に臨む操作溝２６にドライバー等の工具を係合して、ロック具１４をロック解除側へ移動操作するだけで、爪部２４と掛止軸２３との係合を解除し、連結軸８を縦穴３０から簡単に抜き出せる。なお、横穴３１は戸パネル１の前後面壁の一方で開口するよう形成できる。
【００１９】
（実施例２）
上記の実施例１では掛止部１２の全体がケース１３内に嵌まり込むようにしたが、その必要はない。すなわち図６は本発明の実施例２を示しており、これではケース１３の前後に掛止腕２２の進入を許す溝３２を設けておき、この溝３２を掛止腕２２で受け止めて、ソケット４の抜け出しを防止することができる。但し、この場合には掛止軸２３の出入りを許す縦溝３３をケース１３に設ける。
【００２０】
（実施例３）
図７は、ロック具１４と掛止部１２の構造とを変更した実施例３を示す。そこでは、ロック具１４を軸体で形成し、これをケース１３に設けたガイド穴１８で左右スライド自在に案内支持し、圧縮コイル形のばね１５でロック具１４をロック位置へ移動付勢する。掛止部１２は板状の金属で形成し、その下端に係合案内用の斜面２５を設け、斜面２５の上端に連続する側縁に、ロック具１４用の係合凹部３４を設ける。ロック具１４にはロック解除操作用の解除軸３５を固定し、その突端に固定したノブ３６をケース１３の側端に臨ませておく。なお、実施例２・３においては、実施例１と同じ部材に同一符号を付してその説明を省略した。
【００２１】
上記の実施例以外に、ばね１５は引っ張りコイル形のばねや板ばねに変更できる。ランナー本体３の走行部は１個以上のローラ５を備えて構成してあればよい。連結軸８とランナー軸７とを一体化して、高さ調整機構を省略することができる。掛止軸２３は掛止腕２２と一体にプラスチック成形できる。
【００２２】
【発明の効果】
本発明では、ランナー本体３側に戸パネル１の縦穴３０に挿嵌される連結軸８と掛止部１２を設けておき、戸パネル１の横穴３１に装填したソケット４のロック具１４で、掛止部１２を係合捕捉してランナー本体３を戸パネル１に固定するようにした。従って、ランナー本体３がガイドレール２に先組みしてある場合であっても、連結軸８を縦穴３０に差し込み操作し、掛止部１２をソケット４に係合するだけで、戸パネル１にランナー本体３を簡単に組むことができるうえ、従来のこの種の連結機構に比べて全体構造を簡素化し小形化でき、安価で施工の容易な吊車型のランナーユニットが得られる。戸パネル１は、ソケット４や連結軸８等を収容し得る厚みがあればよいので、厚みが小さな比較的小形の戸パネルに適用できるのはもちろんのこと、戸パネル１に形成すべき縦穴３０および横穴３１の加工も容易に行える利点を有する。
【図面の簡単な説明】
【図１】ランナーユニットを戸パネルに組んだ状態での縦断正面図である。
【図２】図１におけるＡ−Ａ線断面図である。
【図３】図１におけるＢ−Ｂ線断面図である。
【図４】ソケットの分解斜視図である。
【図５】掛止部とロック具の係合途中状態を示す断面図である。
【図６】実施例２に係るランナーユニットの連結部構造を示す横断平面図である。
【図７】実施例３に係るランナーユニットの連結部構造を示す断面図である。
【図８】従来のランナーユニットの連結部構造を示す断面図である。
【符号の説明】
１  戸パネル
３  ランナー本体
４  ソケット
８  連結軸
１２  掛止部
１３  ケース
１４  ロック具
１５  ばね
２４  爪部
２５  斜面
３０  縦穴
３１  横穴
【図１】
0003623319.tif 000002
【図２】
0003623319.tif 000003
【図３】
0003623319.tif 000004
【図４】
0003623319.tif 000005
【図５】
0003623319.tif 000006
【図６】
0003623319.tif 000007
【図７】
0003623319.tif 000008
【図８】
0003623319.tif 000009